(57)【特許請求の範囲】
【請求項１】
脚部と、前記脚部の上に設けた譜面受けとからなる譜面台において、
前記脚部は、びょう風状に連結され開閉可能なびょう風板と、その外側に開閉可能に連結された左側脚部と右側脚部からなり、
前記譜面受けは、左右に分割された左側譜面受けと右側譜面受けとこれらを接離可能に接続する接続部とからなり、前記左側譜面受けは前記左側脚部の上端と裏面で開閉可能に連結され、前記右側譜面受けは前記右側脚部の上端と裏面で開閉可能に連結され、前記接続部は前記左側譜面受けと右側譜面受けの内側端部を対向するとともに左側譜面受けと右側譜面受けの上面が実質平面に保持されるように接続する
こと特徴とする譜面台。
【請求項２】
請求項１記載の譜面台において、
前記左右の譜面受けは、それぞれ羽根板と記載板に分割されるとともに、前記記載板は前記羽根板に開閉可能に連結された    
こと特徴とする譜面台。
【発明の詳細な説明】
【技術分野】
【０００１】
本発明は、譜面台に関し、さらに詳細には邦楽用譜面台に関する。
【背景技術】
【０００２】
邦楽等の演奏では、座って演奏する場合は楽譜を床に置いて演奏する。譜面の文字は小さいため床に置いたのでは遠くて見づらいという時は、譜面台を使って楽譜を近づけて演奏する。座奏の演奏者にとって譜面台は広く利用されている。
従来、譜面台は譜面受け部分と脚部部分の複数のパーツを組立てて使用する。演奏開始前、演奏終了後は、演奏者自身で楽器の設営や撤去作業を行い舞台転換している。舞台転換ではタイムスケジュールに沿った運営が求められ、短時間で行う必要がある。
また、演奏会では多くの奏者がそれぞれ多種多様の楽器を持参し集まるため、作業時間の短縮から楽器、楽譜、譜面台は常に一体として持ち運び紛失等しないよう1箇所にまとめて管理している。
【先行技術文献】
【特許文献】
【０００３】
【特許文献１】公開実用新案  平３−４２１９６号公報  （第２図）
【発明の概要】
【発明が解決しようとする課題】
【０００４】
譜面台は、木製や金属製で簡易的な組み立て式の複数のパーツを繋ぎ合わせるものや、時として琴の小さい座奏用の譜面台を横に二台並べて使用する場合もあるが、およそ邦楽演奏のイメージにはそぐわない。譜面台は大きいため、そのままの形で持ち運ぶには不都合で複数のパーツに分解し例えば脚部は２パーツ、譜面受けは１パーツにて持ち運びそのまま保管している。そのため使うときは組み立て、使わないときは分解し、それぞれ作業時間の要する課題があった。また、譜面台は分解すると複数のパーツになるため、持ち運びや部品の忘却という管理上に課題があった。
【課題を解決するための手段】
【０００５】
本発明は、譜面台１を分割することなく折りたたむだけでコンパクト化した。手間のかかる組立や分解する作業の時間短縮を図ることで、演奏に伴う舞台上での譜面台の準備や演奏終了後の撤収作業を効率的に行うことができる。舞台上での譜面台１の取扱に関し、持ち運びや保管によるコンパクト化、作業の簡素化として発案した。
脚部と譜面受けの一体化を図ることで部品が複数とならず、忘却等の管理上も問題も軽減できる譜面台１を提供することにある。
本発明は、脚部と、前記脚部の上に設けた譜面受けとからなる譜面台において、
前記脚部は、びょう風状に連結され開閉可能なびょう風板と、その外側に開閉可能に連結された左側脚部と右側脚部からなり、
前記譜面受けは、左右に分割された左側譜面受けと右側譜面受けとこれらを接離可能に接続する接続部とからなり、前記左側譜面受けは前記左側脚部の上端と裏面で開閉可能に連結され、前記右側譜面受けは前記右側脚部の上端と裏面で開閉可能に連結され、前記接続部は前記左側譜面受けと右側譜面受けの内側端部を対向するとともに左側譜面受けと右側譜面受けの上面が実質平面に保持されるように接続する
こと特徴とするものである。
【発明の効果】
【０００６】
本発明において、譜面台の組み立てに際し、脚部と譜面受けが結合し一体化しているため作業時間の短縮を図ることができる。しかも、収納する作業でコンパクトに折りたたむことができ収納場所も小さく保管しやすい。
また、演奏の始まる前、演奏の終了後は短時間で舞台転換が必要とされるなかで、折りたたんだ譜面台は簡単に片手で持ち運びができる。片手で楽器を持った場合は、一方で譜面台を持ち一度の持ち運び、舞台上での作業の短縮や効率を図ることができる。
【図面の簡単な説明】
【０００７】
【図１】この発明による譜面台の組立たて状態で演奏者側から見た斜視図である。
【図２】この発明による譜面台を開いて広げる過程の説明図である。
【図３】この発明による譜面台を折りたたんだ状態の演奏者側から見た説明図である。
【図４】この発明による譜面台で折りたたんだ状態の側面図である。
【図５】この発明による譜面台を開いた状態で客席側から見た斜視図である。
【図６】この発明による譜面台を開いた状態の側面図である。
【図７】この発明による譜面台を閉じる過程の説明図である。
【図８】この発明による譜面台の閉じる過程の正面図である。
【図９】この発明による譜面台に用いる蝶番の例を示す図である。
【発明を実施するための形態】
【０００８】
図１に示すように、譜面台１は、脚部１００と譜面受け２００を一体型とし、脚部１００に譜面受け２００を乗せる構造とした。
【０００９】
図１、図２、図３及び図８において、脚部１００はびょう風状に開閉可能なびょう風板１２０と、その外側に開閉可能に連結された左側脚部１１０と右側脚部１３０からなる。
【００１０】
びょう風板１２０は左側びょう風板１２１と右側びょう風板１２２で構成した。左側びょう風板１２１と右側びょう風板１２２は端部を開閉可能な固定部３００で結合した。
左側脚部１１０は左側脚部前板１１１と左側脚部後板１１２を接続し一体化して
構成し、右側脚部１３０は右側脚部前板１３２と右側脚部後板１３１を接続し一体化して構成した。
左側脚部後板１１２と左側びょう風板１２１の端部を開閉可能な固定部３００で結合し、右側脚部後板１３１と右側びょう風板１２２を開閉可能な固定部３００で結合し、脚部１００はびょう風板１２０と左側脚部１１０及び右側脚部１３０により全体的にびょう風状に連結した。
図９で示すように開閉可能な固定部３００は蝶番が好ましい。なお、これに替えて、図示しない、布、ゴム、ビニール、紙による折り目とすることもできる。
【００１１】
図２に示すように脚部１００は、びょう風板１２０としてびょう風板１２１、１２２を２枚で一組にしてＶ字状に接続したが、これにさらに隣接してもう一組接続してＷ字状に接続しても良い。この場合、Ｗ字状のびょう風板の最外端部に、それぞれ左側脚部１１０及び右側脚部１３０を結合し脚部１００を構成すると良い。
上記のようにびょう風板２枚で構成する例、及び４枚で構成する例を説明したがびょう風板１２０の枚数を同様にさらに増加させても良い。
【００１２】
譜面受け２００は脚部１００に乗せる構造とし、左側譜面受け２１０と右側譜面受け２２０は左右に分割し、それぞれの内側の端部を対向させ上面が実質平面に保持されよう接続する。
左右に分割された左側譜面受け２１０と右側譜面受け２２０とこれらを接離可能に接続（２３３，１２３）、（２４３，１２４）、（２３４，２４４）する接続部とからなる。
【００１３】
左側譜面受け２１０は、左側羽根板２１１と左側記載板２３１で構成し、右側譜面受け２２０は、右側羽根板２２１と右側記載板２４１で構成する。
左側譜面受け２１０は、左側羽根板２１１と左側記載板２３１の両側面が接する端部を開閉可能な固定部３００で結合する。右側譜面受け２２０は、右側羽根板２２１と右側記載板２４１の両側面が接する端部を開閉可能な固定部３００で結合する。
【００１４】
左側譜面受け２１０は左側脚部１１０の上端と左側譜面受け２１０の裏面で接する面に開閉可能な固定部３００で連結し、右側譜面受け２２０は右側脚部の上端と右側譜面受け２２０の裏面で接する面に開閉可能な固定部３００で連結した。
【００１５】
図２において譜面台１は、組み立てた状態の図１の状態から、脚部１００の、左側脚部１１０、右側脚部１３０、左側びょう風板１２１及び右側びょう風板１２２と、譜面受け２００の、左側羽根板２１１、左側記載板２３１、右側羽根板２２１、及び右側記載板２４１とを開閉可能な固定部３００を中心に折り曲げることにより、図２、図８を経由して図３のように折りたたむことができる。  また逆の手順により開くことができる。
【００１６】
譜面受け２００は、左側記載板２３１と左側羽根板２１１、右側記載板２４１と右側羽根板２２１をそれぞれ２枚で一組として接続したが、これらにさらに左側羽根板２１１、右側羽根板２２１の外側にそれぞれ追加の羽根板を接続しても良い。この場合、追加の羽根板として、左側羽根板２１１の最外端部に左側第二羽根板、右側羽根板２２１の最外端部に右側第二羽根板を接続しても良い。接続した左側第二羽根板及び右側第二羽根板は開閉可能な固定部３００を設置し外側に曲げ、上面を平たんに広げることにより、譜面受け２００の上面を広くすることができる。
上記のようにそれぞれ羽根板１枚で構成する例、及び２枚で構成する例を説明したがそれぞれの羽根板の枚数は同様にさらに増加させても良い。
【００１７】
脚部１００と譜面受け２００は開閉可能な固定部３００で前記のように結合しているため、脚部１００又は譜面受け２００のいずれかを開閉することによって、他方も連動して開閉することができる。
図１に示すように譜面台１の組み立ては、譜面受け２００と一体となっている脚部１００とびょう風板１２０が連動してびょう風状に開き四角の脚部の組み立てとなる。同時に左側記載板２３１と右側記載板２４１をそれぞれ反転し中央に引き寄せ側面を接近させ固定することで、左側羽根板２１１、右側羽根板２２１が左右に開き平たんな譜面受け２００になる。
【００１８】
図２に示すところの、脚部１００と譜面受け２００に接離可能な接続部（２３４、２４４、１２３、２３３、１２４、２４３）を配した。
左側記載板２３１と右側記載板２４１の接近箇所に、左側記載板２３１に接離可能な接続部２３４を、右側記載板２４１に接離可能な接続部２４４を配置し脱着できる構造とした。
接離可能な接続部（２３４、２４４、１２３、２３３、１２４、２４３）の素材は、面ファスナー、粘着材、カギ、フック、磁石など脱着できるように構成する。
左側記載板２３１と左側びょう風板１２１の上部当接面に、左側記載板接離可能な接続部２３３と左側びょう風板離接可能な接続部１２３を配置し脱着できる構造とした。
右側記載板２４１と右側びょう風板１２２の上部当接面に、右側記載板接離可能な接続部２４３と右側びょう風板１２２と右側びょう風板接離可能な接続部１２４を設置し脱着できる構造とした。
【００１９】
図３の譜面台１を折りたたんだ状態では、譜面台１の左で最も外側は左側記載板２３１、右で最も外側は右側記載板２４１、その内側にそれぞれ左側羽根板２１１、右側羽根板２２１が連結し、その内側にそれぞれ左側脚部１１０、右側脚部１３０、その内側にそれぞれ左側びょう風板１２１、右側びょう風板１２２で隙間無く並べたことでコンパクト化した。
【００２０】
図５のように、譜面台１の上面を傾斜させたときは、左側羽根板２１１に左側羽根板の滑り止め板２１２を設置、右側羽根板２２１に右側羽根板の滑り止め板２２２を設置、
左側記載板２３１に左側記載板滑り止め板２３２を設置、右側記載板２４１に右側記載板滑り止め板２４２を設置すると良い。
なお、収納時などで譜面受け２００の左側記載板２３１、右側記載板２４１を折りたたみ重ねた時に、左側羽根板の滑り止め板２１２、右側羽根板滑り止め板２２２の部分と左側記載板の滑り防止板２３２、右側記載板の滑り止め板２４２の部分が重ならないよう左側羽根板２１１、右側羽根板２２１の滑り止め板に空間を設け滑り防止板が収納できる構造とした。  
【００２１】
図２で示す譜面受け２００の左側記載板２３１と右側記載板２４１の側面を接近させ接離可能な接続部（２３４、２４４）を繋ぎ、図１に示すように左側記載板２３１と右側記載板２４１からなる平たん面を構成し、楽譜への補記に利用する構造とした。
なお、譜面台１に傾斜はあっても、記載するのに不都合のない角度とした。
傾斜は演奏者側の左側脚部前板１１１と右側脚部前板１３２、客席側の左側脚部後板１１２と右側脚部後板１３１の前後の脚部の高さを違えることで実現することができる。
【００２２】
開閉可能な固定部３００の設置位置は、図２、図３、図４、図５、図６、図７、図８のようにすると良い。
なお、この図には示していないが設置場所を変更することも可能である。
【００２３】
譜面台１の脚部１００に開閉可能な固定部３００の連結にある左側びょう風板１２１、右側びょう風板１２２は板状にしているが、格子状にすると軽量化することができる。
【００２４】
図１に示す譜面台１で、組み立てた状態で運ぶ場合は、譜面受け２００の左側記載板２１１、右側記載板２２１の空間部分を片手で楽譜を乗せたまま持ち運びが出来る構造とした。また、折りたたんで運ぶ場合は、図４に示す左側譜面受け２１０、右側譜面受け２２０の開口部を形成する辺部分を片手で持っても良い。    
【００２５】
本発明の譜面台１の高さは、立奏、和楽演奏、洋楽演奏、朗読の書籍台など目的に応じて選択することができる。
【００２６】
本発明の構成、部材、方法でこの記載内容に限らずさまざまに変更を可とすることができる。
【実施例】
【００２７】
本発明の一実施例を以下にて説明する。
図１〜図９の図で譜面台１の傾斜角度は１５度
左側脚部前板１１１と右側脚部前板１３２は、幅５cm、高さ２８cm、厚さ１cm、に傾斜角度１５度
左側脚部後板１１２と右側脚部後板１３１は、幅５cm、高さ３１cm、厚さ１cm、に傾斜角度１５度
左側脚部１１０と右側脚部１３０の横の長さは、２５．５cm
左側びょう風板１２１と右側びょう風板１２２は、横幅１７cm、高さ２７cm、厚さ１cm
左側羽根板２１１と右側羽根板２２１は、横幅３０cm、高さ３１．５cm、厚さ１cm
左側記載板２３１と右側記載板２４１は、横幅１１．５cm、高さ３１．５cm、厚さ１cm
羽根板の滑り止め板は、左側羽根板の滑り止め板２１２と右側羽根板の滑り止め板２２２は、横幅１９cm、高さ２cm、厚さ０．５cm
記載板の滑り止め板は、左側記載板の滑り止め板２３２と右側記載板の滑り止め板２４２は、横幅１１．５cm、高さ２cm、厚さ０．５cm
開閉可能な固定部３００は、縦２．５cm、横１cmの部材
接離可能な接続部は、幅２．５cm、長さ１２cmの部材
【符号の説明】
【００２８】
１  譜面台
１００  脚部
１１０  左側脚部
１１１  左側脚部前板
１１２  左側脚部後板
１２０  びょう風板
１２１  左側びょう風板
１２２  右側びょう風板
１２３  左側びょう風板接離可能な接続部
１２４  右側びょう風板接離可能な接続部
１３０  右側脚部
１３１  右側脚部後板
１３２  右側脚部前板
２００  譜面受け
２１０  左側譜面受け
２１１  左側羽根板
２１２  左側羽根板の滑り止め板
２２０  右側譜面受け
２２１  右側羽根板
２２２  右側羽根板の滑り止め板
２３１  左側記載板                                                              
２３２  左側記載板の滑り止め板
２３３  左側記載板接離可能な接続部
２３４  右側記載板接離可能な接続部
２４１  右側記載板
２４２  右側記載板の滑り止め板                                    
２４３  右側接離可能な接続部
２４４  右側接離可能な接続部
３００  開閉可能な固定部
【要約】      （修正有）【課題】脚部と譜面受けが一体でしかもコンパクトにできる譜面台を提供する。【解決手段】閉じた状態の譜面台１で、左側の最も外にある記載板２３１と右側の最も外にある記載板２４１を、折返し回転させそれぞれの端部を中央に引き寄せることで譜面受け２００ができる。同時に開閉可能な固定部３００で結合した左側羽根板２１１と右側羽根板２２１が横に開き、同時に開閉可能な固定部で結合した左側脚部１１０と右側脚部１３０が開き、同時に開閉可能な固定部で結合した左側びょう風板１２１、右側びょう風板１２２が外側に開く。上記が一連の動作で譜面台１が完成する。左側記載板と右側記載板の端部を接近させ接離可能な接続部を取り付け譜面受けの平面を保持する。【選択図】図２【図１】
0006864797.tif 000002
【図２】
0006864797.tif 000003
【図３】
0006864797.tif 000004
【図４】
0006864797.tif 000005
【図５】
0006864797.tif 000006
【図６】
0006864797.tif 000007
【図７】
0006864797.tif 000008
【図８】
0006864797.tif 000009
【図９】
0006864797.tif 000010